【手続補正書】
【提出日】令和2年2月15日(2020.2.15)
【手続補正１】
【補正対象書類名】特許請求の範囲
【補正対象項目名】全文
【補正方法】変更
【補正の内容】
【特許請求の範囲】
【請求項１】
遊技球が入球可能な入球手段と、
その入球手段に遊技球が入球した場合に判定を実行することが可能な判定手段と、
その判定手段による判定結果を示すための識別情報が表示される表示手段と、
その表示手段に前記識別情報を動的表示させる動的表示手段と、
その動的表示手段により動的表示される前記識別情報の動的表示態様を決定する動的表示態様決定手段と、
前記表示手段に特定の前記判定結果を示すための前記識別情報が停止表示された場合に、遊技者に有利となる第１特典遊技とその第１特典遊技とは異なる第２特典遊技とを実行可能な特典遊技実行手段と、
遊技球を遊技者の操作に基づいて第１流下領域と、その第１流下領域を流下した遊技球が流下することが困難な第２流下領域とのいずれかに発射させることが可能な発射手段と、を有した遊技機において、
前記特典遊技実行手段により前記第１特典遊技または前記第２特典遊技が実行されている期間に遊技球が入球可能となり、前記第２流下領域を流下した遊技球が入球可能な位置に配置された特定入球手段と、
その特定入球手段へ入球した遊技球を滞留させることが可能な滞留手段と、
その滞留手段により滞留が解除された遊技球が入球可能な特定領域と、
前記第１特典遊技が実行され、前記特定領域に遊技球が入球した場合に、遊技者に有利な第１特典を付与し、前記第２特典遊技が実行されている場合には、前記特定領域への入球に関わらず遊技者に有利となる第２特典を付与する特典付与手段と、
前記第１特典遊技または前記第２特典遊技が実行される場合には、前記滞留手段により遊技球が滞留されていることに基づいて設定される第１設定と、前記滞留手段により遊技球が滞留されていないことにより設定される前記第１設定とは異なる第２設定とが設定可能な設定手段と、を有し、
前記遊技機は、前記第１設定が設定される前記第２特典遊技が実行されている場合に、前記特定領域に遊技球が入球したことに基づいて、前記第２特典が付与されることを示すための第１演出が実行可能に構成され、前記第２設定が実行される前記第２特典遊技が実行されている場合に、前記特定領域へと遊技球が入球せずに所定条件が成立したことに基づいて、前記第２特典が付与されることを示すための前記第１演出とは異なる第２演出が実行可能に構成されているものであり、
前記第２演出は、前記特定領域へ遊技球が入球しなかったことに対応した特定演出が実行された後に実行されるものであり、
前記遊技機は、前記第１特典遊技または前記第２特典遊技が実行される前の所定タイミングから前記第２流下領域へ遊技球を発射させることを示唆するための示唆態様が段階的な態様で報知されるものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、遊技盤に設けられた始動口に遊技球が入球することで抽選を実行し、その抽選結果を図柄等で表示して報知する場合に、予め定められた報知態様で報知するものが知られている。
【手続補正３】
【補正対象書類名】明細書
【補正対象項目名】０００４
【補正方法】変更
【補正の内容】
【０００４】
このような遊技機において、さらなる興趣向上が求められている。
【手続補正４】
【補正対象書類名】明細書
【補正対象項目名】０００５
【補正方法】変更
【補正の内容】
【０００５】
本発明は、上記例示した問題点等を解決するためになされたものであり、遊技の興趣を向上できる遊技機を提供することを目的とする。
【手続補正５】
【補正対象書類名】明細書
【補正対象項目名】０００６
【補正方法】変更
【補正の内容】
【０００６】
この目的を達成するために本発明の遊技機は、遊技球が入球可能な入球手段と、その入球手段に遊技球が入球した場合に判定を実行することが可能な判定手段と、その判定手段による判定結果を示すための識別情報が表示される表示手段と、その表示手段に前記識別情報を動的表示させる動的表示手段と、その動的表示手段により動的表示される前記識別情報の動的表示態様を決定する動的表示態様決定手段と、前記表示手段に特定の前記判定結果を示すための前記識別情報が停止表示された場合に、遊技者に有利となる第１特典遊技とその第１特典遊技とは異なる第２特典遊技とを実行可能な特典遊技実行手段と、遊技球を遊技者の操作に基づいて第１流下領域と、その第１流下領域を流下した遊技球が流下することが困難な第２流下領域とのいずれかに発射させることが可能な発射手段と、を有し、前記特典遊技実行手段により前記第１特典遊技または前記第２特典遊技が実行されている期間に遊技球が入球可能となり、前記第２流下領域を流下した遊技球が入球可能な位置に配置された特定入球手段と、その特定入球手段へ入球した遊技球を滞留させることが可能な滞留手段と、その滞留手段により滞留が解除された遊技球が入球可能な特定領域と、前記第１特典遊技が実行され、前記特定領域に遊技球が入球した場合に、遊技者に有利な第１特典を付与し、前記第２特典遊技が実行されている場合には、前記特定領域への入球に関わらず遊技者に有利となる第２特典を付与する特典付与手段と、前記第１特典遊技または前記第２特典遊技が実行される場合には、前記滞留手段により遊技球が滞留されていることに基づいて設定される第１設定と、前記滞留手段により遊技球が滞留されていないことにより設定される前記第１設定とは異なる第２設定とが設定可能な設定手段と、を有し、前記遊技機は、前記第１設定が設定される前記第２特典遊技が実行されている場合に、前記特定領域に遊技球が入球したことに基づいて、前記第２特典が付与されることを示すための第１演出が実行可能に構成され、前記第２設定が実行される前記第２特典遊技が実行されている場合に、前記特定領域へと遊技球が入球せずに所定条件が成立したことに基づいて、前記第２特典が付与されることを示すための前記第１演出とは異なる第２演出が実行可能に構成されているものであり、前記第２演出は、前記特定領域へ遊技球が入球しなかったことに対応した特定演出が実行された後に実行されるものであり、前記遊技機は、前記第１特典遊技または前記第２特典遊技が実行される前の所定タイミングから前記第２流下領域へ遊技球を発射させることを示唆するための示唆態様が段階的な態様で報知されるものである。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明の遊技機によれば、遊技球が入球可能な入球手段と、その入球手段に遊技球が入球した場合に判定を実行することが可能な判定手段と、その判定手段による判定結果を示すための識別情報が表示される表示手段と、その表示手段に前記識別情報を動的表示させる動的表示手段と、その動的表示手段により動的表示される前記識別情報の動的表示態様を決定する動的表示態様決定手段と、前記表示手段に特定の前記判定結果を示すための前記識別情報が停止表示された場合に、遊技者に有利となる第１特典遊技とその第１特典遊技とは異なる第２特典遊技とを実行可能な特典遊技実行手段と、遊技球を遊技者の操作に基づいて第１流下領域と、その第１流下領域を流下した遊技球が流下することが困難な第２流下領域とのいずれかに発射させることが可能な発射手段と、を有し、前記特典遊技実行手段により前記第１特典遊技または前記第２特典遊技が実行されている期間に遊技球が入球可能となり、前記第２流下領域を流下した遊技球が入球可能な位置に配置された特定入球手段と、その特定入球手段へ入球した遊技球を滞留させることが可能な滞留手段と、その滞留手段により滞留が解除された遊技球が入球可能な特定領域と、前記第１特典遊技が実行され、前記特定領域に遊技球が入球した場合に、遊技者に有利な第１特典を付与し、前記第２特典遊技が実行されている場合には、前記特定領域への入球に関わらず遊技者に有利となる第２特典を付与する特典付与手段と、前記第１特典遊技または前記第２特典遊技が実行される場合には、前記滞留手段により遊技球が滞留されていることに基づいて設定される第１設定と、前記滞留手段により遊技球が滞留されていないことにより設定される前記第１設定とは異なる第２設定とが設定可能な設定手段と、を有し、前記遊技機は、前記第１設定が設定される前記第２特典遊技が実行されている場合に、前記特定領域に遊技球が入球したことに基づいて、前記第２特典が付与されることを示すための第１演出が実行可能に構成され、前記第２設定が実行される前記第２特典遊技が実行されている場合に、前記特定領域へと遊技球が入球せずに所定条件が成立したことに基づいて、前記第２特典が付与されることを示すための前記第１演出とは異なる第２演出が実行可能に構成されているものであり、前記第２演出は、前記特定領域へ遊技球が入球しなかったことに対応した特定演出が実行された後に実行されるものであり、前記遊技機は、前記第１特典遊技または前記第２特典遊技が実行される前の所定タイミングから前記第２流下領域へ遊技球を発射させることを示唆するための示唆態様が段階的な態様で報知されるものである。
【手続補正１０】
【補正対象書類名】明細書
【補正対象項目名】００１１
【補正方法】変更
【補正の内容】
【００１１】
よって、遊技の興趣を向上できるという効果がある。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】３３６４
【補正方法】変更
【補正の内容】
【３３６４】
上述した各遊技機のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、遊技盤に設けられた始動口に遊技球が入球することで抽選を実行し、その抽選結果を図柄等で表示して報知する場合に、予め定められた報知態様で報知して遊技の公平性を保てるようにするものが知られている（例えば、特許文献１：特開２０１２−１４７９６５号公報）。
このような遊技機において、不正遊技による被害を低減することが求められている。
本技術的思想は、上記例示した問題点等を解決するためになされたものであり、不正遊技による被害を低減することができる遊技機を提供することを目的とする。
＜手段＞
この目的を達成するために技術的思想１の遊技機は、遊技球が入球可能な入球手段と、その入球手段に遊技球が入球した場合に判定を実行することが可能な判定手段と、その判定手段による判定結果を示すための識別情報が表示される表示手段と、その表示手段に前記識別情報を動的表示させる動的表示手段と、その動的表示手段により動的表示される前記識別情報の動的表示態様を決定する動的表示態様決定手段と、前記表示手段に特定の前記判定結果を示すための前記識別情報が停止表示された場合に、遊技者に有利となる特典遊技を実行可能な特典遊技実行手段と、を有し、前記特典遊技実行手段により前記特典遊技が実行されている期間に遊技球が入球可能となる特定入球手段と、その特定入球手段に入球した遊技球が入球可能な特定領域と、その特定領域に遊技球が入球した場合に、遊技者に有利な特典を付与する特典付与手段と、その特典付与手段による付与される前記特典の種別を決定する特典種別決定手段と、前記特定入球手段へと遊技球を誘導可能な位置に前記特定入球手段へ誘導される遊技球の所定期間に対する流下量を減少させる調整手段と、を有するものである。
技術的思想２の遊技機は、技術的思想１記載の遊技機において、遊技球を遊技領域へと発射可能な発射手段と、その発射手段により発射される発射強度を遊技者の操作により可変可能な発射強度可変手段と、遊技球が流下可能な第１流路と、その第１流路を流下した遊技球が流下困難となる第２流路と、を有し、前記調整手段は、前記第２流路を流下する遊技球を前記特定入球手段へと入球可能な特定流路と前記特定入球手段へと入球困難となる流路とに所定の割合で振り分けるものである。
技術的思想３の遊技機は、技術的思想１記載の遊技機において、遊技球を遊技領域へと発射可能な発射手段と、その発射手段により発射される発射強度を遊技者の操作により可変可能な発射強度可変手段と、遊技球が流下可能な第１流路と、その第１流路を流下した遊技球が流下困難となる第２流路と、を有し、前記調整手段は、前記第２流路を流下した遊技球を所定期間以上転動させて遊技球を前記特定入球手段へと誘導される流路へと排出することが可能な転動手段を有するものである。
技術的思想４の遊技機は、技術的思想１から３のいずれかに記載の遊技機において、前記特定の判定結果を示すための前記識別情報が停止表示されてから前記特定入球手段が入球可能となるまでの期間は、前記第２流路へと遊技球を発射してから前記調整手段をへて特定入球手段へと到達するまでの期間よりも短く構成されているものである。
＜効果＞
技術的思想１記載の遊技機によれば、遊技球が入球可能な入球手段と、その入球手段に遊技球が入球した場合に判定を実行することが可能な判定手段と、その判定手段による判定結果を示すための識別情報が表示される表示手段と、その表示手段に前記識別情報を動的表示させる動的表示手段と、その動的表示手段により動的表示される前記識別情報の動的表示態様を決定する動的表示態様決定手段と、前記表示手段に特定の前記判定結果を示すための前記識別情報が停止表示された場合に、遊技者に有利となる特典遊技を実行可能な特典遊技実行手段と、を有し、前記特典遊技実行手段により前記特典遊技が実行されている期間に遊技球が入球可能となる特定入球手段と、その特定入球手段に入球した遊技球が入球可能な特定領域と、その特定領域に遊技球が入球した場合に、遊技者に有利な特典を付与する特典付与手段と、その特典付与手段による付与される前記特典の種別を決定する特典種別決定手段と、前記特定入球手段へと遊技球を誘導可能な位置に前記特定入球手段へ誘導される遊技球の所定期間に対する流下量を減少させる調整手段と、を有するものである。
よって、不正遊技を抑制し、不正遊技による被害を低減することができるという効果がある。
技術的思想２記載の遊技機によれば、技術的思想１記載の遊技機の奏する効果に加え、次の効果を奏するものである。即ち、遊技球を遊技領域へと発射可能な発射手段と、その発射手段により発射される発射強度を遊技者の操作により可変可能な発射強度可変手段と、遊技球が流下可能な第１流路と、その第１流路を流下した遊技球が流下困難となる第２流路と、を有し、前記調整手段は、前記第２流路を流下する遊技球を前記特定入球手段へと入球可能な特定流路と前記特定入球手段へと入球困難となる流路とに所定の割合で振り分けるものである。
よって、不正遊技を抑制し、不正遊技による被害を低減することができるという効果がある。
技術的思想３記載の遊技機によれば、技術的思想１記載の遊技機の奏する効果に加え、次の効果を奏するものである。即ち、遊技球を遊技領域へと発射可能な発射手段と、その発射手段により発射される発射強度を遊技者の操作により可変可能な発射強度可変手段と、遊技球が流下可能な第１流路と、その第１流路を流下した遊技球が流下困難となる第２流路と、を有し、前記調整手段は、前記第２流路を流下した遊技球を所定期間以上転動させて遊技球を前記特定入球手段へと誘導される流路へと排出することが可能な転動手段を有するものである。
よって、不正遊技を抑制し、不正遊技による被害を低減することができるという効果がある。
技術的思想４記載の遊技機によれば、技術的思想１から３のいずれかに記載の遊技機の奏する効果に加え、次の効果を奏するものである。即ち、前記特定の判定結果を示すための前記識別情報が停止表示されてから前記特定入球手段が入球可能となるまでの期間は、前記第２流路へと遊技球を発射してから前記調整手段をへて特定入球手段へと到達するまでの期間よりも短く構成されているものである。
よって、不正遊技を抑制し、不正遊技による被害を低減することができるという効果がある。
【手続補正１８】
【補正対象書類名】明細書
【補正対象項目名】３３６５
【補正方法】変更
【補正の内容】
【３３６５】
１０                        パチンコ機（遊技機）
６４ 第１入賞口（入球手段の一例）
８１                        第３図柄表示装置（表示手段）
１１４ 表示制御装置（動的表示手段の一部）
６００ａ Ｖ入球口（特定領域）
６２０ Ｖ入賞装置（特定入球手段）
Ｓ１０４ 動的表示態様決定手段の一部
Ｓ２２２，Ｓ１１１８ 設定手段
Ｓ２３３，Ｓ２３７ 判定手段
Ｓ１００４，Ｓ１００５ 特典遊技実行手段